(57)【要約】      （修正有）【課題】メーカーおよびサイズが異なる表示装置を定置物の支持軸に固定可能であり、使用者の観賞姿勢に応じて表示装置の上下位置および傾斜角度を調整可能な表示装置取付用の軸接続金具を提供する。【解決手段】表示装置取付用の軸接続金具は、メインベース１、サブベース２およびジョイントユニット３を備える。メインベース１は定置物の支持軸に固定可能であり、収納空間１１を有し、第一バックル１６および二個の第一固定パーツ１５からなる。サブベース２は、収納空間１１内にはまり込むように設置され、第一固定パーツ１５でメインベース１に固定される。ジョイントユニット３は、サブベース２を挟むように設置され、第二固定パーツ３３でサブベース２に固定される。【選択図】図１
0003171842.tif 000002
【実用新案登録請求の範囲】
【請求項１】
表示装置を定置物に取り付ける表示装置取付用の軸接続金具であって、
前記定置物に対する上下方向位置及び左右の傾きが調整された後に前記定置物に固定可能であり、収納空間、前記定置物の支持軸に対応する二個の挿入穴、前記収納空間を区画形成する内壁に形成される二個のスライド溝、および、前記スライド溝の上下に位置する二組の穴を有する第一バックルと、前記穴に挿入される二個の第一固定パーツと、から構成されるメインベースと、
前記スライド溝に嵌合する二個の突起、前記穴に対応する位置で水平方向に延び前記第一固定パーツが挿通する水平方向調整溝、上下方向に延びる二個の垂直方向調整溝、および、前記垂直方向調整溝の上方で前記水平方向調整溝および前記垂直方向調整溝に対し傾斜して形成される二個の斜め方向調整溝を有する第二バックルから構成され、前記収納空間内にはまり込むように設置されるとともに前記メインベース側に押し込まれるか前記メインベースとは反対側に引き出された後、前記第一固定パーツで前記メインベースに固定されるサブベースと、
前記サブベースを左右両側から挟むように設置され、前記斜め方向調整溝に対応する位置に形成される上穴と前記垂直方向調整溝に対応する位置に形成される下穴とを有する左右一対の支えアーム、一対の前記支えアームの上部先端同士および下部先端同士を接続する二個の挿入管、前記上穴および前記垂直方向調整溝に挿入される第二固定パーツ、及び、前記下穴および前記斜め方向調整溝に挿入される第二固定パーツを有し、着脱可能な形式で前記表示装置の背面に直接的または間接的に取り付け可能であり、前記サブベースの外側にはまり込むように設置されるとともに前記サブベースに対する上下方向位置及び前後の傾きが調整された後、前記第二固定パーツで前記サブベースに固定されるジョイントユニットと、
を備えることを特徴とする表示装置取付用の軸接続金具。
【請求項２】
前記ジョイントユニットは、前記サブベースとは反対側に二個の前記挿入管および一対の前記支えアームをつなぐように連続して形成され、前記表示装置の前記背面または前記固定部材に取り付け可能な取付面を有することを特徴とする請求項１に記載の表示装置取付用の軸接続金具。
【請求項３】
前記ジョイントユニットの前記取付面に取り付け可能な板体であって、前記表示装置の前記背面に接触した状態で前記背面に固定可能な固定部材をさらに備えることを特徴とする請求項２に記載の表示装置取付用の軸接続金具。
【請求項４】
前記ジョイントユニットの前記取付面に取り付け可能な板体からなる固定部材と、
前記固定部材の左右両側に設置され、前記表示装置の前記背面に接触した状態で固定される縦向き掛け金具と、
をさらに備えることを特徴とする請求項２に記載の表示装置取付用の軸接続金具。
【請求項５】
前記ジョイントユニットは、前記挿入管に挿入され固定される矩形パーツを有し、
前記矩形パーツの左右両側に設置され、前記表示装置の前記背面が接触した状態で固定される縦向き掛け金具をさらに備えることを特徴とする請求項２に記載の表示装置取付用の軸接続金具。
【請求項６】
表示装置を定置物に取り付ける表示装置取付用の軸接続金具であって、
定置物に対する上下方向位置及び左右の傾きが調整された後に前記定置物に固定可能であり、収納空間、前記定置物の支持ステムに対応する二個の挿入穴、及び、前記支持ステムと平行な軸方向に貫通する二個の軸穴を有する第一バックルと、前記軸穴に挿入される第一固定パーツと、から構成されるメインベースと、
前記軸穴および前記第一固定パーツに対応し、長手方向が前記軸穴の内径より長く形成される二個の水平方向調整溝、下面に近い位置に形成される二個の垂直方向調整溝、及び、前記垂直方向調整溝の上方で前記水平方向調整溝および前記垂直方向調整溝に対し斜めに形成される二個の斜め方向調整溝を有し、前記収納空間内にはまり込むように設置されるとともに前記メインベース側に押し込まれるか前記メインベースとは反対側に引き出された後、前記第一固定パーツで前記メインベースに固定されるサブベースと、
前記サブベースを左右両側から挟むように設置され、且つ、前記斜め方向調整溝に対応する上穴と前記垂直方向調整溝に対応する下穴とを有する左右一対の支えアーム、一対の前記支えアームの上部先端同士および下部先端同士を接続する水平状の二個の挿入管、前記上穴および前記斜め方向調整溝に挿入される第二固定パーツ、及び、前記下穴および前記垂直方向調整溝に挿入される第二固定パーツを有し、着脱可能な形式で前記表示装置の背面に直接的または間接的に取り付け可能であり、前記サブベースの外側にはまり込むように設置されるとともに前記サブベースに対する上下方向位置及び前後の傾きが調整された後、前記第二固定パーツで前記サブベースに固定されるジョイントユニットと、
を備えることを特徴とする表示装置取付用の軸接続金具。
【請求項７】
前記ジョイントユニットは、前記サブベースとは反対側に二個の前記挿入管および一対の前記支えアームをつなぐように連続して成形され、前記表示装置の前記背面または前記固定部材に取り付け可能な取付面を有することを特徴とする請求項６に記載の表示装置取付用の軸接続金具。
【請求項８】
前記ジョイントユニットの前記取付面に取り付け可能な板体であって、前記表示装置の前記背面に接触した状態で前記背面に固定可能な固定部材をさらに備えることを特徴とする請求項７に記載の表示装置取付用の軸接続金具。
【請求項９】
前記ジョイントユニットの前記取付面に取り付け可能な板体からなる固定部材と、
前記固定部材の両側に設置され、前記表示装置の前記背面に接触した状態で前記背面に固定される縦向き掛け金具と、
をさらに備えることを特徴とする請求項７に記載の表示装置取付用の軸接続金具。
【請求項１０】
前記ジョイントユニットは、前記挿入管に挿入され固定される矩形パーツを有し、
前記矩形パーツの左右両側に設置され、前記表示装置の前記背面に接触した状態で前記背面に固定される縦向き掛け金具をさらに備えることを特徴とする請求項７に記載の表示装置取付用の軸接続金具。
【考案の詳細な説明】
【技術分野】
【０００１】
本考案は、表示装置取付用の軸接続金具に関する。
【背景技術】
【０００２】
現在、コンピューターディスプレイ、モニターディスプレイ及びテレビ等の表示装置は、薄型化、扁平化及び高画質の傾向がますます顕著になっている。このタイプの表示装置は、通常、掛け金具を介して居住環境の壁面に設置される。掛け金具は、金属片をプレス加工した後、表示装置を固定するための複数のねじ穴が形成されて成り、表示装置をねじで固定して施工を行なうようになっている。
【考案の概要】
【考案が解決しようとする課題】
【０００３】
しかしながら、前記掛け金具は、異なるメーカー、異なるサイズの表示装置には適用できないため、応用が利かない。また、前記掛け金具は、壁面のような平面環境には張り付く形で容易に設置できるが、円柱体のような支持軸には設置できない。また、前記掛け金具は、一旦壁面に固定されると、壁面に対する表示装置の傾斜角度が固定されるため、観賞の際の姿勢が固定されて、再び調整することが不可能である。表示装置の傾斜角度を変更したい場合は、使用者が必要とする姿勢に適応する傾斜角度を有する掛け金具に交換するしか方法がない。
【０００４】
上記課題を解決するために、本考案は、メーカーおよびサイズが異なる表示装置を定置物の支持軸に固定可能であり、使用者の観賞姿勢に応じて表示装置の上下位置および傾斜角度を調整可能な表示装置取付用の軸接続金具を提供することを目的とする。
【課題を解決するための手段】
【０００５】
上記目的を達成するために、本考案の表示装置取付用の軸接続金具は、メインベース、サブベースおよびジョイントユニットを備える。
メインベースは、定置物に対する上下方向位置及び左右の傾きを調整した後に定置物に固定可能である。メインベースは、収納空間、定置物の支持軸に対応する二個の挿入穴、収納空間を区画形成する内壁に形成される二個のスライド溝、及び、スライド溝の上下に位置する二組の穴を有する第一バックルと、第一バックルの穴に挿入される二個の固定パーツと、から構成される。
【０００６】
サブベースは、メインベースの収納空間内にはめ込まれ、メインベース側に押し込むかメインベースとは反対側に引き出すかを調整した後、第一固定パーツでメインベースに固定される。
サブベースは、メインベースのスライド溝に嵌合する二個の突起、前記穴に対応する位置で水平方向に延び第一固定パーツが挿通する複数個の水平方向調整溝、上下方向に延びる二個の垂直方向調整溝、および、垂直方向調整溝の上方で水平方向調整溝および垂直方向調整溝に対し傾斜して成形される二個の斜め方向調整溝を有する第二バックルから構成される。
【０００７】
ジョイントユニットは、サブベースの外側にはめ込まれ、サブベースに対する上下方向位置及び前後の傾きを調整した後、第二固定パーツでサブベースに固定される。
ジョイントユニットは、サブベースの左右両側から挟むように設置され、斜め方向調整溝に対応する上穴と垂直方向調整溝に対応する下穴とを有する左右一対の支えアーム、一対の支えアームの上部先端同士および下部先端同士を接続する二個の挿入管、上穴および斜め方向調整溝に挿入される第二固定パーツ、および、下穴および垂直方向調整溝に挿入される第二固定パーツを有する。ジョイントユニットは、着脱可能な形式で表示装置の背面に直接的にまたは前記背面に固定される固定部材を介して間接的に固定される。
【０００８】
このような軸接続金具では、メインベースは、定置物の支持軸に固定可能であり、定置物に対し上下方向位置および左右の角度が調整可能である。サブベースは、メインベースに対し前後にスライド可能であるとともに左右の角度が調整可能である。ジョイントユニットは、サブベースに対し上下方向位置及び前後の傾きが調整可能である。
そのため、メーカーおよびサイズが異なる表示装置を定置物の支持軸に固定可能である。また、使用者の観賞の際の適度な姿勢に合わせて表示装置の上下位置および傾斜角度を調整可能である。
【図面の簡単な説明】
【０００９】
【図１】本考案の第一実施形態による軸接続金具の立体分解図である。
【図２】図１の軸接続金具を他の角度から示した図である。
【図３】本考案の第二実施形態による軸接続金具の立体分解図である。
【図４】本考案の第一実施形態による軸接続金具を定置物の支持ステムに取り付けた状態を示した図である。
【図５】図４の軸接続金具を他の角度から示した図である。
【図６】本考案の第一、第二実施形態による軸接続金具のジョイントユニットの取付面が板体に取り付けられた状態を示した図である。
【図７】本考案の第一、第二実施形態による軸接続金具のジョイントユニットの矩形パーツの両側が縦向きにそれぞれ掛け金具に取り付けられた状態を示した図である。
【図８】本考案の第一、第二実施形態による軸接続金具のジョイントユニットの矩形パーツの両側が縦向きにそれぞれ掛け金具に取り付けられた後、さらに表示装置が張り付く形式で固定された状態を示した図である。
【図９】本考案の第一、第二実施形態による軸接続金具において、他の定置物の支持ステムに取り付けられた状態を示した図である。
【図１０】本考案の第三実施形態による軸接続金具の立体分解図である。
【図１１】図１０の軸接続金具の組立て完成図である。
【図１２】本考案の第三実施形態による軸接続金具のメインベース、サブベース、ジョイントユニットを定置物に取り付けた状態を示した図である。
【図１３】本考案の第四実施形態による軸接続金具の立体分解図である。
【考案を実施するための形態】
【００１０】
以下、図１、図２、図８を参照しながら、本考案の第一実施形態の軸接続金具について説明する。本考案の第一実施形態の軸接続金具は、メインベース（１）、サブベース（２）及びジョイントユニット（３）を備える。
【００１１】
メインベース（１）は、定置物（４）に設置される。メインベース（１）は、収納空間（１１）を有する。メインベース（１）は、定置物（４）に対し上下方向の位置及び左右の傾きが調整された後、定置物（４）に固定される。メインベース（１）は、第一バックル（１６）および二個の第一固定パーツ（１５）からなる。
第一バックル（１６）は、定置物（４）の支持ステム（４２）に対応する二個の挿入穴（１２）、収納空間（１１）内部両側表面にくぼんで成形され、メインベース（２）外部に通じる開始端（１３１）及びメインベース（１）内部に位置する末端（１３２）を有する二個のスライド溝（１３）、スライド溝（１３）上下でスライド溝（１３）の開始端（１３１）の近くに位置し、第一固定パーツ（１５）が挿通する二組の穴（１４）、及び、外壁に形成される複数の滑り止めのための凹凸（１６１）を有する。
【００１２】
サブベース（２）は、収納空間（１１）内にはまり込むように設置される。サブベース（２）は、メインベース（１）側に押し込まれるか、メインベース（１）とは反対側に引き出された後、第一固定パーツ（１５）でメインベース（１）に固定される。
サブベース（２）は、スライド溝（１３）に嵌合する二個の突起（２１）、突起（２１）の上下で穴（１４）に対応する位置に設置され、スライド溝（１３）が延びる方向に並ぶ二個の穴からなる水平方向調整溝（２２）、下面に近い位置で水平方向調整溝（２２）と突起（２１）のそばに形成される二個の垂直方向調整溝（２３）、垂直方向調整溝（２３）の上方で突起（２１）のそばに傾斜して成形される二個の斜め方向調整溝（２４）、及び、外壁に形成される複数の滑り止めのための凹凸（２５１）を有する第二バックル（２５）からなる。
【００１３】
ジョイントユニット（３）は、サブベース（２）の外側にはまり込むように設置される。ジョイントユニット（３）は、上下方向の位置及び前後の傾きが調整された後、第二固定パーツ（３３）でサブベース（２）に固定される。
ジョイントユニット（３）は、着脱可能に表示装置（５）の背面（５２）に固定されてもよいが、本実施形態では、表示装置（５）の背面（５２）の固定部材（６）に接触させ固定部材（６）に支えられるように固定される。
【００１４】
ジョイントユニット（３）は、サブベース（２）を挟むように設置される。ジョイントユニット（３）は、斜め方向調整溝（２４）に対応し、第二固定パーツ（３３）が挿通する上穴（３１１）、垂直方向調整溝（２３）に対応し、第二固定パーツ（３３）が挿通する下穴（３１２）を有する一対の支えアーム（３１）、支えアーム（３１）の上部先端（３１３）、及び、下部先端（３１４）に水平に堅固に固定される二個の挿入管（３２）、及び、上穴（３１１）、下穴（３１２）に挿入される二個の第二固定パーツ（３３）を有する。ジョイントユニット（３）は、サブベース（２）とは反対側に、上下の挿入管（３２）をつなぎ且つ左右の支えアーム（３１）をつなぐように形成される取付面（３４）を有する。
【００１５】
図３を参照しながら説明する。本考案の第二実施形態の軸接続金具が第一実施形態と異なる点は、サブベース（２）の水平方向調整溝（２２）のみである。第二実施形態の水平方向調整溝（２２）は、スライド溝（１３）が延びる方向に長手状に形成される長穴からなる。
【００１６】
図１〜図５、図６を参照しながら説明する。上述パーツの組合せにより、本考案の第一、第二実施形態は、使用の際、使用者が先ずメインベース（１）の挿入穴（１２）に定置物（４）の支持ステム（４２）を挿入させる。次に、サブベース（２）の突起（２１）を収納空間（１１）のスライド溝（１３）に合わせてメインベース（１）とサブベース（２）を近づける。次に、サブベース（２）が支持ステム（４２）に接触したら、水平方向調整溝（２２）に対応する穴（１４）に第一固定パーツ（１５）を挿入し、メインベース（１）とサブベース（２）とを堅固に支持ステム（４２）に固定する。次に、ジョイントユニット（３）をサブベース（２）のうちメインベース（１）とは反対側にはめ合わせた後、第二固定パーツ（３３）を下穴（３１２）および垂直方向調整溝（２３）に挿入し、ジョイントユニット（３）をサブベース（２）に対し昇降させて適度な使用高さに調整する。次に、第二固定パーツ（３３）を上穴（３１１）および斜め方向調整溝（２４）に挿入し、ジョイントユニット（３）をサブベース（２）に対し前後に傾けて適度な使用角度に調整する。
【００１７】
図６に示すように、固定部材（６）は、ジョイントユニット（３）の取付面（３４）に取り付ける板体（６０）である。板体（６０）前方には表示装置（５）の背面（５２）が接触した状態で固定される。このため、使用者は、表示装置（５）の背面（５２）を支える固定部材（６）をジョイントユニット（３）の取付面（３４）に接触させて固定するだけで、メーカーおよびサイズの異なる表示装置（５）を支持ステム（４２）に堅固に取り付けることが可能であると同時に、観賞の際の適度な姿勢に合わせて調整する目的を達成する。
【００１８】
図１〜図３、図７を参照しながら説明する。本考案の第一、第二実施形態におけるジョイントユニット（３）は、上下の挿入管（３２）に水平状の棒材を挿入することによって、それらの棒材を有する矩形パーツ（３５）を固定することができる。矩形パーツ（３５）の左右両側には、縦向きに掛け金具（６３）を引っ掛けることができる。掛け金具（６３）は、表示装置（５）の背面（５２）にぴったりと張り付くように固定される。このため、使用者は、同様に上述の目的を達成する。
【００１９】
図１〜図３、図８を参照しながら説明する。本考案の第一、第二実施形態におけるジョイントユニット（３）の取付面（３４）は固定部材（６）に取り付けられる。固定部材（６）は、板体（６１）である。板体（６１）は、その左右両側が掛け金具（６２）に取り付けられる。掛け金具（６２）には表示装置（５）の背面（５２）がぴったりと張り付くように固定される。定置物（４）は、直立した支持ステム（４２）を支持するベース（４０）を有する。ベース（４０）は、複数の仕切り板（４０２）を有する。表示装置（５）は、液晶テレビ、液晶ディスプレイ、プラズマテレビ及びモニターのうちの一つから選択される。このため、使用者は、同様に上述の目的を達成する。
【００２０】
図１〜図３、図９を参照しながら説明する。図９において、定置物（４）は、直立する支持ステム（４２）を支持するベース（４０）を有し、定置物（４）を天井、壁面等の表面に設置しやすくする。支持ステム（４２）は、メインベース（１）の挿入穴（１２）に挿入して設置される。このため、使用者は、同様に上述の目的を達成する。
【００２１】
本考案の第三実施形態を図８、図１０〜図１２を参照しながら説明する。本考案の第三実施形態におけるメインベース（１）は、収納空間（１１）、定置物（４）の支持ステム（４２）に対応する二個の挿入穴（１７）、挿入穴（１７）と同様に上下方向に空き、サブベース（２）を容置空間（１１）内でスライド及び軸回転させる二個の軸穴（１９）、及び、軸穴（１９）に挿入設置される第一固定パーツ（１９１）を有する。
【００２２】
サブベース（２）は、軸穴（１９）と第一固定パーツ（１９１）に対応する二個の水平方向調整溝（２６）を有する。水平方向調整溝（２６）の長手方向の長さは、軸穴（１９）の直径より大きい。サブベース（２）の下面に近い位置に形成される二個の垂直方向調整溝（２７）、及び、垂直方向調整溝（２７）の上方で斜めに形成される二個の斜め方向調整溝（２８）を有する。
【００２３】
ジョイントユニット（３）は、サブベース（２）の外側を挟むように設置され、斜め方向調整溝（２３）に対応する上穴（３１１）、垂直方向調整溝（２３）に対応する下穴（３１２）を有する二個の支えアーム（３１）と、支えアーム（３１）の上部先端（３１３）および下部先端（３１４）にしっかりと固定される二個の挿入管（３２）と、上穴（３１１）および下穴（３１２）に挿入設置される二個の第二固定パーツ（３３）と、を有する。ジョイントユニット（３）は、サブベース（２）とは反対側に、上下の挿入管（３２）をつなぎ且つ左右の支えアーム（３１）をつなぐように連続して形成される取付面（３４）を有する。
【００２４】
図８、図１０から図１２を参照しながら説明する。上述のパーツの組合せにより、本考案の第三実施形態では、使用の際、使用者は定置物（４）を壁面に取り付ける。次に、メインベース（１）を定置物（４）に支持ステム（４２）で固定する。次に、サブベース（２）をメインベース（１）に対し収納空間（１１）内でスライド及び軸回転させる。次に、ジョイントユニット（３）のサブベースに対する上下方向位置及び前後の傾きを調整する。これにより、第一実施形態と同様に、メーカーおよびサイズの異なる表示装置（５）を支持ステム（４２）にしっかりと固定し、使用者が観賞する際の適切な姿勢に適合するよう調整することができる。
【００２５】
図１３に示すように、ジョイントユニット（３）は取付面を有していなくてもよい。
以上、本考案の実施例を詳述してきたが、本考案は、これらの実施例に限られるものではなく、本考案の要旨を逸脱しない範囲の設計変更などがあっても、本考案に含まれる。
【符号の説明】
【００２６】
（１）    ：メインベース
（１１）  ：収納空間
（１２）  ：挿入穴
（１３）  ：スライド溝
（１３１）：開始端
（１３２）：末端
（１４）  ：穴
（１５）  ：第一固定パーツ
（１６）  ：第一バックル
（１６１）：滑り止めのための凹凸
（１７）  ：挿入穴
（１９）  ：軸穴
（１９１）：第一固定パーツ
（２）    ：サブベース
（２１）  ：突起
（２２）  ：水平方向調整溝
（２３）  ：垂直方向調整溝
（２４）  ：斜め方向調整溝
（２５）  ：第二バックル
（２５１）：滑り止めのための凹凸
（２６）  ：水平方向調整溝
（２７）  ：垂直方向調整溝
（２８）  ：斜め方向調整溝
（３）    ：ジョイントユニット
（３１）  ：支えアーム
（３１１）：上穴
（３１２）：下穴
（３１３）：上部先端
（３１４）：下部先端
（３２）  ：挿入管
（３３）  ：第二固定パーツ
（３４）  ：取付面
（３５）  ：矩形パーツ
（４）    ：定置物
（４２）  ：支持ステム
（４０）  ：ベース
（４０２）：仕切り板
（５）    ：表示装置
（５２）  ：背面
（６）    ：固定部材
（６０）  ：板体
（６１）  ：板体
（６２）  ：掛け金具
（６３）  ：掛け金具
【図１】
0003171842.tif 000003
【図２】
0003171842.tif 000004
【図３】
0003171842.tif 000005
【図４】
0003171842.tif 000006
【図５】
0003171842.tif 000007
【図６】
0003171842.tif 000008
【図７】
0003171842.tif 000009
【図８】
0003171842.tif 000010
【図９】
0003171842.tif 000011
【図１０】
0003171842.tif 000012
【図１１】
0003171842.tif 000013
【図１２】
0003171842.tif 000014
【図１３】
0003171842.tif 000015